(57)【特許請求の範囲】
【請求項１】
被測定部位に巻き付けて使用されるカフを有する血圧測定装置であって、
前記カフは、該カフの一方の面に設けられ、前記カフを前記被測定部位に巻きつけた状態で固定するための第１の固定部と、該カフの他方の面に設けられ、該カフを前記被測定部位に巻きつけた状態で固定するための第２の固定部とを含み、
前記第１の固定部と前記第２の固定部の少なくとも一方は電磁石部を有し、
前記電磁石部から発生させる磁力を制御して、前記第１の固定部に前記第２の固定部を引き付けて前記カフを前記被測定部位に固定する制御部を備える血圧測定装置。
【請求項２】
請求項１に記載の血圧測定装置であって、
前記制御部は、血圧測定のために行われる前記カフの加圧過程において、前記カフの圧迫圧力に応じて前記電磁石部から発生させる磁力を大きくする血圧測定装置。
【請求項３】
請求項１又は２に記載の血圧測定装置であって、
前記制御部は、血圧測定のために行われる前記カフの減圧過程において、前記カフの圧迫圧力に応じて前記電磁石部から発生させる磁力を小さくする血圧測定装置。
【請求項４】
請求項１から３のいずれか一項に記載の血圧測定装置であって、
前記カフの前記被測定部位への巻き付け状態を、前記カフの圧力に基づいて判定する巻き付け状態判定部を備え、
前記制御部は、前記巻き付け状態判定部によって判定された巻き付け状態に応じて、前記電磁石部から発生させる磁力を制御する血圧測定装置。
【請求項５】
請求項１から４のいずれか一項に記載の血圧測定装置であって、
前記制御部は、血圧測定の終了後、前記電磁石部への電力供給を停止する血圧測定装置。
【請求項６】
請求項１から５のいずれか一項に記載の血圧測定装置であって、
前記第１の固定部と第２の固定部はいずれも電磁石部を有し、
前記制御部は、前記第１の固定部の電磁石部と前記第２の固定部の電磁石部とが磁力によって互いに引き合うように前記磁力を制御する第一の制御と、前記第１の固定部の電磁石部と前記第２の固定部の電磁石部とが磁力によって互いに反発するように前記磁力を制御する第二の制御とを行う血圧測定装置。
【請求項７】
請求項６に記載の血圧測定装置であって、
前記制御部は、血圧測定の終了後、前記第二の制御を行って前記カフの前記被測定部位への固定を解除する血圧測定装置。
【請求項８】
請求項１から７のいずれか一項に記載の血圧測定装置であって、
前記第１の固定部は、第１の係合部材をさらに有し、
前記第２の固定部は、前記第１の係合部材と係合する第２の係合部材をさらに有する血圧測定装置。
【請求項９】
請求項８に記載の血圧測定装置であって、
前記第１の係合部材は、一方向に伸びる凸部材又は凹部材により構成され、
前記第２の係合部材は、前記第１の係合部材の前記凸部材又は凹部材に係合する凹部材又は凸部材により構成される血圧測定装置。
【請求項１０】
請求項９に記載の血圧測定装置であって、
前記一方向は、前記カフの巻き付け状態を調整する巻き付け調整方向に交差する方向であり、
前記第１の係合部材の前記凸部材又は凹部材は、前記巻き付け調整方向に複数個並べて設けられる血圧測定装置。
【請求項１１】
請求項９に記載の血圧測定装置であって、
前記一方向は、前記カフの巻き付け状態を調整する巻き付け調整方向である血圧測定装置。
【請求項１２】
請求項１１に記載の血圧測定装置であって、
前記凸部材又は前記凹部材は、前記電磁石部上に設けられ、  前記電磁石部が、前記一方向に配設され、前記制御部によって独立に制御可能な複数の電磁石部材により構成される血圧測定装置。 
【発明の詳細な説明】
【技術分野】
【０００１】
本発明は、血圧測定装置に関する。
【背景技術】
【０００２】
血圧測定装置としては、被測定者の腕に位置する動脈を圧迫するための空気袋を含んだカフを用いたものが提案されている。このような血圧測定装置を用いて、血圧値を測定するには、腕にカフをぴったりと巻きつけ、巻きつけたカフを固定する。
【０００３】
カフを腕に固定した後、カフの空気袋に空気を入れ、腕を加圧及び減圧することによって動脈内に生じる動脈圧脈波を検出する。これによって血圧測定を行う。
【０００４】
ここで、特許文献１には、磁石や磁性体を用いて腕に対するカフの位置決めをしつつ、
カフの固定には、面ファスナーを用いたものが開示されている。
【先行技術文献】
【特許文献】
【０００５】
【特許文献１】実開昭６２−６１２０４号公報
【発明の概要】
【発明が解決しようとする課題】
【０００６】
特許文献１のように、面ファスナーをカフの固定に用いた場合には、血圧測定をした後、カフを腕から外す際に、接着した面ファスナーをはがすのに一定の力が必要である。このため、高齢者や女性などの非力な被測定者にとっては外すことが困難なことがある。
【０００７】
また、カフを腕から外す際に、面ファスナーがはがれる音が発生する。これにより、被測定者が音を不快に感じることがある。さらに、被測定者以外の人に配慮が必要な場所では、このような血圧測定装置を使用し辛いことがある。
【０００８】
また、面ファスナーを繰り返し使用した結果、面ファスナー材質が劣化し、面ファスナーによる固定強度が落ちてしまう。このため、腕の加圧途中でカフが外れ、測定できなくなることがある。
【０００９】
また、面ファスナーによるカフの固定には、面ファスナーを設ける広い面積が必要である。このため、血圧測定装置の設計自由度が低い。
【００１０】
本願は上記問題を解決すべく、カフの固定に面ファスナーを用いていない新規な血圧測定装置を提供することを目的とする。
【課題を解決するための手段】
【００１１】
被測定部位に巻き付けて使用されるカフを有する血圧測定装置であって、前記カフは、該カフの一方の面に設けられ、該カフを前記被測定部位に巻きつけた状態で固定するための第１の固定部と、該カフの他方の面に設けられ、該カフを前記被測定部位に巻きつけた状態で固定するための第２の固定部とを含み、前記第１の固定部と前記第２の固定部の少なくとも一方は電磁石部を有し、前記電磁石部から発生させる磁力を制御して、前記第１の固定部に前記第２の固定部を引き付けて前記カフを前記被測定部位に固定する制御部を備える血圧測定装置。 
【発明の効果】
【００１２】
上記血圧測定装置によれば、電磁石部が発する磁力を用いてカフを固定するようにしている。このため、電磁石部から発生する磁力の大きさに応じて、カフの固定度合いを変化させることができる。したがって、容易にカフを外すことができる。また、カフを腕から外す際に、余計な音が発生しない。また、面ファスナーのような材質の劣化がなく、長期にわたり血圧測定装置を使い続けることができる。また、電磁石部から発生する磁力は、流れる電流の大きさ等に基づいて変化することから、カフの固定力を確保するために電磁石部用に広い面積を確保する必要がない。
【図面の簡単な説明】
【００１３】
【図１】本発明の一実施形態を説明するための血圧測定装置の概略構成を示す外観図である。
【図２】図１に示す血圧測定装置における内部構成を示す図である。
【図３】図１の血圧測定装置を用いて、血圧測定を行う際の電磁石部の制御を示すフローチャートである。
【図４】血圧測定における電磁石部の制御の他の一例を示すフローチャートである。
【図５】血圧測定における電磁石部の制御のさらに他の一例を示すフローチャートである。
【図６】図１の血圧測定装置の他の例を示す外観図である。
【図７】図６の血圧測定装置を用いて、血圧測定を行う際の電磁石部の制御を示すフローチャートである。
【図８】図１の血圧測定装置のさらに他の例における固定部を示す図である。
【図９】図１の血圧測定装置のさらに他の例における固定部を示す図である。
【図１０】図９の固定部の他の例を示す図である。
【発明を実施するための形態】
【００１４】
以下、本発明の実施形態について図面を参照して説明する。
【００１５】
図１は、本発明の一実施形態を説明するための血圧測定装置１の概略構成を示す外観図である。
【００１６】
血圧測定装置１は、本体部１０と、被測定者の上腕に巻付け可能なカフ３０と、本体部１０とカフ３０を接続するエアチューブ４０及び電力供給線５０を備える。
【００１７】
本明細書においてカフとは、内腔を有する帯状又は筒状の構造物であって、生体の被測定部位（例えば上腕や手首等）に巻き付けが可能なものを意味し、気体や液体等の流体を内腔に注入することによって被測定者の動脈を圧迫して血圧測定に利用されるもののことを指す。
【００１８】
カフは、流体袋とこの流体袋を生体に巻き付けるための巻付手段とを含めた概念を示す言葉であり、腕帯と呼ばれることもある。
【００１９】
本体部１０は、血圧値及び脈拍数等の各種情報を表示するための例えば液晶等により構成される表示部１９と、ユーザ（被測定者）からの指示を受付けるための操作部２１とを備える。
【００２０】
操作部２１は、電源をＯＮ又はＯＦＦするための指示の入力を受け付ける電源スイッチ２１Ａと、本体部１０に記憶された血圧データ等の情報を読み出し、表示部１９に表示する指示を受付けるためのメモリスイッチ２１Ｂと、情報呼び出しの際のメモリ番号の上げ下げの指示を受付けるための矢印スイッチ２１Ｃ，２１Ｄと、測定開始及び停止の指示を受付ける測定／停止スイッチ２１Ｅとを含む。
【００２１】
図２は、図１に示す血圧測定装置１の内部構成を示す図である。
【００２２】
カフ３０は、上記の流体袋としての空気袋３１を含んでおり、この空気袋３１に図１に示したエアチューブ４０が接続されている。 
【００２３】
また、カフ３０は、被測定部位にカフ３０を固定するための固定部３２を含んでおり、この固定部３２に、図１に示した電力供給線５０が接続されている。
【００２４】
本体部１０は、エアチューブ４０と接続される圧力センサ１１、ポンプ１２、及び排気弁（以下、弁という）１３と、発振回路１４と、ポンプ駆動回路１５と、弁駆動回路１６と、本体部１０の各部に電力を供給する電源１７と、図１に示した表示部１９と、本体部１０全体を統括制御すると共に各種の演算処理を行う制御部（ＣＰＵ）１８と、図１に示した操作部２１と、メモリ２２と、電力供給線５０と接続される電磁石駆動回路２３とを備える。
【００２５】
ポンプ１２は、カフ３０による被測定部位への圧迫圧力を増加させるために、空気袋３１に空気を供給する。
【００２６】
弁１３は、空気袋３１内の空気を排出又は封入するために開閉される。
【００２７】
ポンプ駆動回路１５は、ポンプ１２の駆動をＣＰＵ１８から与えられる制御信号に基づいて制御する。
【００２８】
弁駆動回路１６は、弁１３の開閉制御をＣＰＵ１８から与えられる制御信号に基づいて行う。
【００２９】
ポンプ１２、弁１３、ポンプ駆動回路１５、及び弁駆動回路１６により、カフ３０による被測定部位への圧迫圧力を変化させる圧迫圧力調整部が構成される。
【００３０】
圧力センサ１１は、一例として静電容量型の圧力センサを用いる。静電容量型の圧力センサは、検出する圧力に応じて容量値が変化するものである。
【００３１】
発振回路１４は、圧力センサ１１の容量値に基づき発振し、当該容量値に応じた信号をＣＰＵ１８に出力する。ＣＰＵ１８は、発振回路１４から出力される信号を圧力値に変換することによって、カフ３０の圧力（カフ圧）を検出する。
【００３２】
メモリ２２は、ＣＰＵ１８に所定の動作をさせるためのプログラムやデータを記憶するＲＯＭ（Ｒｅａｄ  Ｏｎｌｙ  Ｍｅｍｏｒｙ）と、ワークメモリとしてのＲＡＭ（Ｒａｎｄａｍ  Ａｃｃｅｓｓ  Ｍｅｍｏｒｙ）と、測定した血圧データ等を格納するフラッシュメモリとを含む。
【００３３】
電磁石駆動回路２３は、固定部３２の後述する電磁石部３２１の駆動を、ＣＰＵ１８から与えられる制御信号に基づいて行う。すなわち、電磁石駆動回路２３は、ＣＰＵ１８からの制御信号に基づいて、所定の電力を固定部３２に供給する。 
【００３４】
図１及び図２に示すように、固定部３２は、カフ３０の内面に設けられ、カフ３０を測定部位に巻きつけた状態で固定するための内面固定部３２Ａと、カフ３０の外面に設けられ、カフ３０を測定部位に巻きつけた状態で固定するための外面固定部３２Ｂを含む。
【００３５】
内面固定部３２Ａは、外面固定部３２Ｂを引き付けて固定する電磁石部３２１を有する。電磁石部３２１は、電力供給線５０を通じて電磁石駆動回路２３から供給される電力に基づいて磁力を発生する。
【００３６】
一方、外面固定部３２Ｂは、電磁石を含んでおらず、磁性体で形成されている。
【００３７】
電磁石部３２１に電力が供給されると、電磁石部３２１が発生する磁力によって、内面固定部３２Ａが外面固定部３２Ｂを引き付けて固定する。これにより、カフ３０が被測定部位に固定される。
【００３８】
なお、血圧測定装置１では、内面固定部３２Ａに電磁石部を設けたが、外面固定部３２Ｂに電磁石部を設け、内面固定部３２Ａを磁性体により構成することとしてもよい。
【００３９】
この場合、電磁石駆動回路２３は外面固定部３２Ｂの電磁石に電力を供給する。
【００４０】
図３は、図１の血圧測定装置を用いて、血圧測定を行う際の電磁石部の制御を示すフローチャートである。
【００４１】
まず、電源スイッチ２１Ａが押下されることにより、ＣＰＵ１８は、電磁石駆動回路２３から電磁石部３２１に電力を供給する（ＳＴ１）。
【００４２】
次に、測定／停止スイッチ２１Ｅが押下されるまでは、ＣＰＵ１８は、そのまま電磁石部３２１から発生する磁力を変化させず一定になるように、電磁石部３２１への電力の供給を維持する（ＳＴ２―ＮＯ）。
【００４３】
そして、測定／停止スイッチ２１Ｅが押下されたら（ＳＴ２−ＹＥＳ）、ＣＰＵ１８は、ポンプ１２を駆動し、カフ３０の空気袋３１に空気が供給されるようにし、カフ３０の圧迫圧力に応じて電磁石部３２１から発生する磁力を大きくする（ＳＴ３）。
【００４４】
例えば、ＣＰＵ１８は、電磁石部３２１に流れる電流を大きくすることで、磁力を大きくする。
【００４５】
これにより、内面固定部３２Ａが外面固定部３２Ｂをより強く引き付け、外面固定部３２Ｂをより強く固定する。すなわち、カフ３０の固定が強くなる。
【００４６】
これに対し、カフの固定に面ファスナーを用いている場合は、カフ３０の加圧過程において、面ファスナーのズレが生じることがあり、血圧測定に必要な空気量が増えてしまう。 
【００４７】
そのため、血圧測定装置の消費電力が大きくなったり、空気袋に空気を送るポンプに要求する性能が高くなってしまうことがある。また、面ファスナーのズレによる振動がノイズとなり、血圧測定の精度に影響を与えることがある。しかし、上述のように電磁石部３２１を用いることによって、このようなズレの発生を低減することができる。 
【００４８】
血圧測定の開始後、ＣＰＵ１８は、カフ圧の上昇に伴い、圧力センサ１１の出力信号に基づき圧力値が所定レベルにまで達したと判定したら、閉じていた弁１３を徐々に開き、微速排気の制御を行い、カフ圧を徐々に減少させる。この減圧過程において、圧力センサ１１により検出される信号に重畳する脈圧信号に基づき、ＣＰＵ１８は、所定の手順に基づき血圧値（最高血圧および最低血圧）を算出する。この血圧算出手順は公知であるので説明は省略する。 
【００４９】
ＣＰＵ１８は、血圧値を算出するまでは、電磁石部３２１から発生する磁力が大きい状態を保ったまま、電磁石部３２１へ電力を供給するように制御する（ＳＴ４）。
【００５０】
そして、ＣＰＵ１８は、血圧値を算出したら、血圧測定を終了し（ＳＴ４−ＹＥＳ）、得られた血圧値を表示部１９に表示する。
【００５１】
得られた血圧値を表示部１９に表示した後、ＣＰＵ１８は、弁１３を全開にし、カフ３０の空気袋３１の空気を抜く。
【００５２】
また、ＣＰＵ１８は、血圧測定の終了に応じて、電磁石部３２１への電力の供給を停止する（ＳＴ５）。
【００５３】
これにより、電磁石部３２１から磁力が発生しなくなり、内面固定部３２Ａと外面固定部３２Ｂが互いに引き合わなくなる。すなわち、カフ３０の固定が解除される。
【００５４】
以上、血圧測定装置１によれば、電磁石部３２１から発生する磁力を用いてカフ３０を固定するようにしている。このため、電磁石部３２１から発生する磁力に応じて、固定度合いを変化させることができ、容易にカフ３０を外すことができる。
【００５５】
また、カフを腕から外す際に、余計な音が発生しない。
【００５６】
また、面ファスナーのような材質の劣化がなく、長期にわたり血圧測定装置を使い続けることができる。また、電磁石部３２１から発生する磁力は、流れる電流の大きさ等に基づいて変化することから、電磁石部３２１は、必ずしも広い面積を必要としない。
【００５７】
このため、電磁石部３２１を用いることによって、設計の自由度が上がる。
【００５８】
なお、血圧測定装置１では、操作部２１において、電源スイッチ２１Ａと、測定／停止スイッチ２１Ｅを別々に設けたが、電源スイッチが測定／停止スイッチを兼ねるようにしてもよい。
【００５９】
この場合、１回目の電源スイッチの押下によって、ＣＰＵ１８は、電磁石部３２１に電力を供給するように制御し、２回目の電源スイッチの押下によって、電磁石部３２１から発生する磁力を大きくするようにしてもよい。
【００６０】
図４は、血圧測定における電磁石部３２１の制御の他の一例を示すフローチャートである。
【００６１】
図４に示すフローチャートは、血圧測定中の電磁石部３２１に対する制御を変える点で図３に示すフローチャートと異なる。
【００６２】
なお、図４において、図３と同様の処理においては同一符号を付し、適宜説明を省略する。
【００６３】
図４に示すフローチャートでは、ＣＰＵ１８は、血圧測定のための減圧過程に入るまでは、電磁石部３２１から発生する磁力が変化しないように制御する。
【００６４】
そして、血圧測定の減圧過程に入ったら（ＳＴ３１−Ｙ）、カフ３０を減圧しながら、徐々に電磁石部３２１から発生する磁力を小さくする（ＳＴ３１−Ｎ）。
【００６５】
例えば、電磁石部３２１に流れる電流の大きさを小さくすることで、磁力を小さくする。
【００６６】
このように、カフの圧力に応じて電磁石部３２１から発生する磁力を小さくすることで、血圧測定装置１の消費電力を減らすことができる。
【００６７】
図５は、血圧測定における電磁石部の制御のさらに他の一例を示すフローチャートである。
【００６８】
図５に示すフローチャートは、電源スイッチ２１Ａが押下された後、ＣＰＵ１８が、被測定部位にカフ３０がぴったり巻き付けられているかを判定し、電磁石部３２１から発生する磁力の大きさを変える制御を行う点で図３に示すフローチャートと異なる。
【００６９】
なお、図５において、図３と同様の処理においては同一符号を付し、説明を省略する。
【００７０】
カフ３０がぴったりと巻き付いているかの判定（巻き付け状態の判定）は、以下のように行う。
【００７１】
まず、測定／停止スイッチ２１Ｅが押下されたら、ＣＰＵ１８は、少量の空気を空気袋３１に供給し、カフ３０を予備加圧する。予備加圧により検出される圧力値は、巻き付け状態の判定を可能ならしめる程度の低い値である。予備加圧した後、ＣＰＵ１８は、所定の短い時間間隔（たとえば５．１２ｍｓｅｃ）で、圧力センサ１１によってカフ圧を連続して測定する。
【００７２】
そして、この時間間隔で測定して得られる圧力値の変化量を所定閾値と比較する。ＣＰＵ１８は、この変化量が所定閾値以下となっていれば、カフ３０がぴったりと巻き付いていると判定し、この変化量が所定閾値以下となっていなければ、カフ３０がぴったりと巻き付いていないと判定する。
【００７３】
ＣＰＵ１８は、カフ３０がぴったりと巻き付いていると判定したときは（ＳＴ１１−Ｙ）、本加圧に移行し、電磁石部３２１から発生する磁力をカフ３０の圧迫圧力に応じて大きくするとともに（ＳＴ３）、血圧測定の処理を継続する。
【００７４】
一方、ＣＰＵ１８は、カフ３０がぴったりと巻き付いていないと判定したときは（ＳＴ１１−Ｎ）、電磁石部３２１から発生する磁力を小さくする（ＳＴ１２）。
【００７５】
このとき、ＣＰＵ１８は、表示部１９に「カフ３０がぴったりと巻かれていない」旨の表示をし、被測定者に通知するとともに、弁駆動回路１６により弁１３を全開放し、カフ３０の空気袋３１を抜いて、空気袋３１の状態をリセットする。
【００７６】
この通知を受けて、被測定者は、カフの固定を調整することができる。所定時間経過後に、カフ３０がぴったりと巻き付いているかの判定を再度、ＣＰＵ１８が行う（ＳＴ１１）。
【００７７】
このように、カフ３０がぴったりと巻き付いていないときは、ＣＰＵ１８は、電磁石部３２１から発生する磁力を小さくする。このため、内面固定部３２Ａが外面固定部３２Ｂを引き付ける力が弱くなる。 
【００７８】
これにより、被測定者が容易に、外面固定部３２Ｂに対して内面固定部３２Ａの位置を調整をすることができる。すなわち、カフの固定調整が容易になる。
【００７９】
なお、カフ３０がぴったりと巻き付いているかの判定についての詳細は、特開２００５−３０５０２８号公報を参照されたい。
【００８０】
図６は、血圧測定装置１の他の例を示す。
【００８１】
図６に示すように、血圧測定装置６は、外面固定部３２Ｂも内面固定部３２Ａを引き付けて固定する電磁石部３２２を含む点で血圧測定装置１と異なる。
【００８２】
なお、図６において、図１と同様の構成要素については同一符号を付し、適宜説明を省略する。
【００８３】
血圧測定装置６では、ＣＰＵ１８が、電磁石部３２１と電磁石部３２２の磁力を調整する。具体的には、ＣＰＵ１８は、電磁石部３２１と電磁石部３２２から発生する磁力が反極性になるように制御する（第一の制御）。これにより、電磁石部３２１と電磁石部３２２が互いに引き合うことによって、カフ３０が固定される。
【００８４】
図７は、図６の血圧測定装置６を用いて、血圧測定を行う際の電磁石部３２１と電磁石部３２２の制御を示すフローチャートである。
【００８５】
まず、電源スイッチ２１Ａが押下されると、ＣＰＵ１８は、電磁石駆動回路２３に電磁石部３２１に電力を供給するように制御し、さらに電磁石駆動回路２３に電磁石部３２２にも電力を供給するように制御する（ＳＴ７１）。
【００８６】
次に、測定／停止スイッチ２１Ｅが押下されるまでは、ＣＰＵ１８は、そのまま電磁石部３２１及び電磁石部３２２から発生する磁力を一定にしつつ、これらへの電力の供給を維持する（ＳＴ７２―ＮＯ）。
【００８７】
そして、測定／停止スイッチ２１Ｅが押下されたら（ＳＴ７２−ＹＥＳ）、ＣＰＵ１８は、ポンプ１２を駆動し、カフ３０の空気袋３１に空気が供給するとともに、電磁石部３２１と電磁石部３２２から発生する磁力を大きくする（ＳＴ７３）。
【００８８】
なお、ＣＰＵ１８は、電磁石部３２１と電磁石部３２２のいずれか一方から発生する磁力を大きくしてもよい。
【００８９】
図３に示したフローチャートと同様に、血圧値を算出するまでは、ＣＰＵ１８は、電磁石部３２１と電磁石部３２２から発生する磁力が大きい状態を保ったまま、電磁石部３２１と電磁石部３２２への電力を供給するように制御する（ＳＴ７４）。
【００９０】
そして、ＣＰＵ１８は、上述のように血圧値を算出したら、血圧測定を終了し（ＳＴ７４−ＹＥＳ）、得られた血圧値を表示部１９に表示する。
【００９１】
得られた血圧値を表示部１９に表示した後、ＣＰＵ１８は、弁１３が全開となるように制御し、カフ３０の空気袋３１の空気を抜く。
【００９２】
また、ＣＰＵ１８は、血圧測定の終了後、電磁石部３２１と電磁石部３２２とが磁力によって反発するように制御する（ＳＴ７５）。
【００９３】
例えば、電磁石部３２１の磁極を反転させる。
【００９４】
これにより、カフ３０の固定が解除され、血圧測定後に被測定者がカフ３０を取り外しやすくなる。
【００９５】
図８は、血圧測定装置１のさらに他の例における固定部を示す。
【００９６】
図８に示す血圧測定装置では、血圧測定装置１の固定部３２の代わりに、固定部３４を備える。
【００９７】
なお、図８において、図１と同様の構成要素については同一符号を付し、適宜説明を省略する。
【００９８】
固定部３４は、内面固定部３４Ａと外面固定部３４Ｂを有する。
【００９９】
内面固定部３４Ａは、電磁石部３２１と、電磁石部３２１上に設けられ、カフ３０の巻き付けを調整する巻き付け調整方向とは交差する方向（図８の例では直交方向）に延びる凸部３２３Ａを有する係合部材３２３を含む。
【０１００】
外面固定部３４Ｂは、電磁石部３２２と、電磁石部３２２上に設けられるとともに、係合部材３２３の凸部３２３Ａと係合する凹部３２４Ａを複数有する係合部材３２４を含む。
【０１０１】
このため、係合部材３２４の各凹部３２４Ａも、カフ３０の巻き付け調整方向とは略垂直方向に延びている。複数の凹部３２４Ａは、カフ３０の巻き付け調整方向に並べて設けられる。
【０１０２】
ＣＰＵ１８は、電磁石駆動回路２３から電磁石部３２１及び電磁石部３２２に電力を供給する。これにより、電磁石部３２１と電磁石部３２２が引き合い、係合部材３２３と係合部材３２４が係合し、カフ３０を固定する。
【０１０３】
このように、係合部材３２３と係合部材３２４を有することによって、被測定者がカフ３０の固定がなされたことが判別しやすく、また、どこをかみ合わせたかを覚えておけば、前に血圧測定したときの状態を再現しやすい。
【０１０４】
なお、凹部３２４Ａを複数個並べたが、凸部３２３Ａを複数個並べてもよい。凸部３２３Ａを複数個並べたときは、凹部３２４Ａを一つにしてもよい。
【０１０５】
また、複数の凹部３２４Ａは互いに連結しているが、所定の間隔を有して並べてもよい。
【０１０６】
また、固定部３４は、内面固定部３２Ａと外面固定部３２Ｂのいずれにも電磁石部を設けているが、いずれか一方に設けるようにしてもよい。
【０１０７】
図９は、血圧測定装置１のさらに他の例における固定部を示す。
【０１０８】
図９に示す血圧測定装置では、血圧測定装置１の固定部３２の代わりに、固定部３６を備える。
【０１０９】
なお、図９において、図１と同様の構成要素については同一符号を付し、適宜説明を省略する。
【０１１０】
固定部３６は、内面固定部３６Ａと外面固定部３６Ｂを有する。
【０１１１】
内面固定部３６Ａは、電磁石部３２１と、電磁石部３２１上に設けられ、カフ３０の巻き付けを調整する巻き付け調整方向に延びる複数の凸部３２５Ａを有する係合部材３２５を含む。
【０１１２】
複数の凸部３２５Ａは、巻き付け調整方向に直交する方向に並んでいる。
【０１１３】
外面固定部３６Ｂは、電磁石部３２２と、電磁石部３２２上に設けられるとともに、係合部材３２５の凸部３２５Ａと係合する複数の凹部３２６Ａを有する係合部材３２６を含む。
【０１１４】
このため、係合部材３２６の各凹部３２６Ａも、カフ３０の巻き付け調整方向に延び、複数の凹部３２６Ａは、カフ３０の巻き付け調整方向とは直交する方向に並ぶ。
【０１１５】
ＣＰＵ１８は、電磁石駆動回路２３から電磁石部３２１及び電磁石部３２２に電力を供給する。これにより、電磁石部３２１と電磁石部３２２が引き合い、係合部材３２５と係合部材３２６が係合し、カフ３０を固定する。
【０１１６】
このように、巻き付けが緩い場合でも係合部材３２６に対して係合部材３２５を摺動させて調整することができ、カフ３０の固定の調整が容易となる。
【０１１７】
図１０は、図９の固定部の他の例を示す。
【０１１８】
図１０に示す血圧測定装置では、血圧測定装置１の固定部３６の代わりに、固定部３８を備える。
【０１１９】
なお、図１０において、図９と同様の構成要素については同一符号を付し、適宜説明を省略する。
【０１２０】
固定部３８は、電磁石部３２２が１つの電磁石部で構成されるのではなく、電磁石駆動回路２３から個別に電力が供給される複数の電磁石部３２２Ａで構成される点で固定部３６と異なる。
【０１２１】
このため、ＣＰＵ１８は個別に電磁石部３２２Ａへの電力供給の制御を行える。
【０１２２】
複数の電磁石部３２２Ａは、巻き付け調整方向にそって並んでいる。
【０１２３】
カフ３０の固定については、複数の電磁石部３２２Ａの少なくとも１つに電力を供給した上で、まず係合部材３２５を係合部材３２６に係合する。
【０１２４】
そして、ＣＰＵ１８は、複数の電磁石部３２２Ａのうち、電力を供給していた電磁石部３２２Ａの電力を停止し、電力を供給していなかった１つ隣の電磁石部３２２Ａに電力を供給する。
【０１２５】
例えば、ＣＰＵ１８は、所定の時間経過に応じて、電力を供給する電磁石部３２２Ａを変更する。
【０１２６】
これにより、電磁石部３２２から発生する磁界が随時変化し、これに応じて係合部材３２５が係合部材３２６に係合したまま、係合部材３２６上を摺動する。
【０１２７】
このため、内面固定部３６Ａと外面固定部３６Ｂの巻き付けの強さを、人手を介することなく変化させることができ、カフの固定を自動調整することができる。
【０１２８】
以上では、本発明を、カフ３０による圧迫圧力を減少させていく過程において検出されるカフ圧から血圧値を求める方法に適用した実施形態を示したが、カフ３０による圧迫圧力を増加させていく過程において検出されるカフ圧から血圧値を求める方法であっても、本発明を同様に適用可能である。
【０１２９】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１３０】
本明細書には、次の事項が開示される。
（１）  被測定部位に巻き付けて使用されるカフを有する血圧測定装置であって、
前記カフは、該カフの一方の面に設けられ、該カフを前記被測定部位に巻きつけた状態で固定するための第１の固定部と、該カフの他方の面に設けられ、該カフを前記被測定部位に巻きつけた状態で固定するための第２の固定部とを含み、前記第１の固定部と前記第２の固定部の少なくとも一方は電磁石部を有し、前記電磁石部から発生させる磁力を制御して、前記第１の固定部に前記第２の固定部を引き付けて前記カフを前記被測定部位に固定する制御部を備える血圧測定装置。
（２）  （１）に記載の血圧測定装置であって、前記制御部は、血圧測定のために行われる前記カフの加圧過程において、前記カフの圧迫圧力に応じて前記電磁石部から発生させる磁力を大きくする血圧測定装置。
（３）  （１）又は（２）に記載の血圧測定装置であって、前記制御部は、血圧測定のために行われる前記カフの減圧過程において、前記カフの圧迫圧力に応じて前記電磁石部から発生させる磁力を小さくする血圧測定装置。
（４）  （１）から（３）のいずれか一つに記載の血圧測定装置であって、前記カフの前記被測定部位への巻き付け状態を、前記カフの圧力に基づいて判定する巻き付け状態判定部を備え、前記制御部は、前記巻き付け状態判定部によって判定された巻き付け状態に応じて、前記電磁石部から発生させる磁力を制御する血圧測定装置。
（５）  （１）から（４）のいずれか一つに記載の血圧測定装置であって、前記制御部は、血圧測定の終了後、前記電磁石部への電力供給を停止する血圧測定装置。
（６）  （１）から（５）のいずれか一つに記載の血圧測定装置であって、前記第１の固定部と前記第２の固定部はいずれも前記電磁石部を有し、前記制御部は、前記第１の固定部の電磁石部と前記第２の固定部の電磁石部とが磁力によって互いに引き合うように前記磁力を制御する第一の制御と、前記第１の固定部の電磁石部と前記第２の固定部の電磁石部とが磁力によって互いに反発するように前記磁力を制御する第二の制御とを行う血圧測定装置。
（７）  （６）に記載の血圧測定装置であって、前記制御部は、血圧測定の終了後、前記第二の制御を行って前記カフの前記被測定部位への固定を解除する血圧測定装置。
（８）  （１）から（７）のいずれか一つに記載の血圧測定装置であって、前記第１の固定部は、第１の係合部材をさらに有し、前記第２の固定部は、前記第１の係合部材と係合する第２の係合部材をさらに有する血圧測定装置。
（９）  （８）に記載の血圧測定装置であって、前記第１の係合部材は、一方向に伸びる凸部材又は凹部材により構成され、
前記第２の係合部材は、前記第１の係合部材の前記凸部材又は凹部材に係合する凹部材又は凸部材により構成される血圧測定装置。
（１０）  （９）に記載の血圧測定装置であって、前記一方向は、前記カフの巻き付け状態を調整する巻き付け調整方向に交差する方向であり、前記第１の係合部材の前記凸部材又は凹部材は、前記巻き付け調整方向に複数個並べて設けられる血圧測定装置。
（１１）  （９）に記載の血圧測定装置であって、前記一方向は、前記カフの巻き付け状態を調整する巻き付け調整方向である血圧測定装置。
（１２）  （１１）に記載の血圧測定装置であって、前記凸部材又は前記凹部材は、前記電磁石部上に設けられ、前記電磁石部が、前記一方向に配設され、前記制御部によって独立に制御可能な複数の電磁石部材により構成される血圧測定装置。
【符号の説明】
【０１３１】
１     血圧測定装置
１０   本体部
１１   圧力センサ
１２   ポンプ
１３   弁
１４   発振回路
１５   ポンプ駆動回路
１６   弁駆動回路
１７   電源
１９   表示部
２１   操作部
２１Ａ 電源スイッチ
２１Ｅ 測定／停止スイッチ
２２   メモリ
２３   電磁石駆動回路
３０   カフ
３１   空気袋
３２   固定部
３２Ａ 内面固定部
３２Ｂ 外面固定部
【図１】
0005910212.tif 000002
【図２】
0005910212.tif 000003
【図３】
0005910212.tif 000004
【図４】
0005910212.tif 000005
【図５】
0005910212.tif 000006
【図６】
0005910212.tif 000007
【図７】
0005910212.tif 000008
【図８】
0005910212.tif 000009
【図９】
0005910212.tif 000010
【図１０】
0005910212.tif 000011